(57)【要約】      （修正有）【課題】冷媒として蓄冷材のみを用いる保冷容器内に温度の異なる複数の領域を設け、常温領域での結露を防止できる保冷箱を提供する。【解決手段】外箱１０と、該外箱１０の内部を冷凍領域Ｚ１と冷蔵領域Ｚ２に仕切る隔壁２０と、冷凍領域Ｚ１および冷蔵領域Ｚ２の上部を閉塞する内蓋３０Ａ，３０Ｂと、該内蓋３０Ａ，３０Ｂに載置されると共に冷凍領域Ｚ１に収容される複数の蓄冷材４０と、冷蔵領域Ｚ２内に収容されて内部に常温領域Ｚ３を画成する内箱５０と、を備える保冷箱１００である。【選択図】図５
0003211437.tif 000002
【実用新案登録請求の範囲】
【請求項１】
外箱と、該外箱の内部を冷凍領域と冷蔵領域に仕切る隔壁と、前記冷凍領域および前記冷蔵領域の上部を閉塞する内蓋と、該内蓋に載置されると共に前記冷凍領域に収容される複数の蓄冷材と、前記冷蔵領域内に収容されて内部に常温領域を画成する内箱と、を備え、
前記外箱、前記隔壁および前記内蓋は、発泡樹脂によって製作され、
前記内箱の外壁は、柔軟な断熱シートを備え、
前記外壁は、内面に吸湿シートを備えることを特徴とする保冷箱。
【請求項２】
外箱と、該外箱の内部を冷凍領域と冷蔵領域に仕切る隔壁と、前記冷凍領域および前記冷蔵領域の上部を閉塞する内蓋と、該内蓋に載置されると共に前記冷凍領域に収容される複数の蓄冷材と、前記冷蔵領域内に収容されて内部に常温領域を画成する内箱と、前記内箱の内部に収容される保護箱と、を備え、
前記保護箱は、前記内箱よりも高い剛性を有することを特徴とする保冷箱。
【請求項３】
前記内箱は、前記隔壁と間隔をあけて配置されていることを特徴とする請求項１または２に記載の保冷箱。
【請求項４】
前記外壁は、前記断熱シートに積層された発泡樹脂製の断熱材を備えることを特徴とする請求項１に記載の保冷箱。
【請求項５】
前記内蓋は、前記蓄冷材を保持する保持部を有することを特徴とする請求項１から請求項４のいずれか一項に記載の保冷箱。
【請求項６】
前記外箱および前記隔壁は、前記冷凍領域に面する壁面に前記蓄冷材を保持する保持部を有することを特徴とする請求項１から請求項５のいずれか一項に記載の保冷箱。
【請求項７】
前記外箱および前記隔壁は、前記冷凍領域の上部に前記蓄冷材を支持する支持部を有することを特徴とする請求項１から請求項６のいずれか一項に記載の保冷箱。
【考案の詳細な説明】
【技術分野】
【０００１】
本考案は、食品等を蓄冷材と共に収容した状態で輸送および保管される保冷箱に関する。
【背景技術】
【０００２】
冷凍食品を長時間にわたって温度管理帯を維持した状態で保管、輸送するための方法として、複層の断熱材からなる箱型のフレキシブル保冷ボックス、蓄冷材およびドライアイスを適正な方法で組み合わせることで、冷凍車や保冷車を使用することなしに、長時間にわたり要冷品を管理すべき温度帯で保管、輸送する方法が知られている（下記特許文献１を参照）。
【０００３】
特許文献１では、保冷ボックスの外箱および中箱による二重構造、蓄冷材の組合せ、冷気の流出を防ぐための柔軟性のある材質の中蓋を用いることにより、保冷すべき対象範囲を限定している。このように、保冷ボックスを外箱および中箱による二重構造とし、適正な改善策を講じることにより、冷蔵、冷凍、常温などの複数の管理温度帯の要冷物品を保管、輸送することが可能となる、とされている。
【０００４】
また、保冷温度の異なる２以上の区画に分割可能な容器本体と蓋体とからなる保冷容器が知られている（下記特許文献２を参照）。特許文献２に記載の多区画保冷容器は、低温側区画の容器本体の側壁、底面、蓋体のいずれかまたはすべての厚みを大きくすると共に、容器を該低温側区画と高温側区画とに区分する隔壁を設けている。
【先行技術文献】
【特許文献】
【０００５】
【特許文献１】特開２００７−０４５５１９号公報
【特許文献２】特開２００５−１０４５６７号公報
【考案の概要】
【考案が解決しようとする課題】
【０００６】
特許文献１では、冷凍と常温の温度管理帯が中箱の壁を介して隣接し、また、特許文献２では、ドライアイスを配置した低温側区画がそれよりも高温の高温側区画と隔壁を介して隣接している。そのため、特許文献１では、常温の温度管理帯に面した中箱の壁面に、また、特許文献２では、高温側区画に面した隔壁の壁面に、それぞれ結露が生じる虞がある。したがって、特許文献１または２に記載の容器では、例えばパン類、菓子類、乾物類など、水分に影響を受けやすい食品等の内容物を常温の温度管理帯または高温側区画に収容する場合に、結露によって内容物の商品価値が損なわれる虞がある。
【０００７】
本考案は、前記課題に鑑みてなされたものであり、その目的とするところは、常温領域での結露を防止できる保冷箱を提供することにある。
【課題を解決するための手段】
【０００８】
前記目的を達成すべく、本考案の保冷容器は、外箱と、該外箱の内部を冷凍領域と冷蔵領域に仕切る隔壁と、前記冷凍領域および前記冷蔵領域の上部を閉塞する内蓋と、該内蓋に載置されると共に前記冷凍領域に収容される複数の蓄冷材と、前記冷蔵領域内に収容されて内部に常温領域を画成する内箱と、を備えることを特徴とする。
【０００９】
本考案の保冷容器において、冷蔵領域は、蓄冷材が収容された冷凍領域から隔壁および内蓋によって隔離されている。さらに、常温領域は、内箱によって冷蔵領域から隔離されている。すなわち、常温領域は、隔壁および内蓋と、内箱とによって冷凍領域から二重に隔離されている。これにより、常温領域が内箱を介して冷凍領域と隣接することが防止され、常温領域と冷凍領域との温度差に起因して、常温領域に面する内箱の内面での結露を防止できる。
【００１０】
前記内箱は、前記隔壁と間隔をあけて配置されていることが好ましい。これにより、冷凍領域に面することで低温になりやすい隔壁が、内箱に接触することが回避される。また、内側が常温領域とされた内箱の外側が、冷凍領域の空気と比較して常温領域の空気との温度差が少ない冷蔵領域の空気に包囲される。したがって、内箱が冷凍領域内の冷気または冷凍領域に面する隔壁によって冷却されることが防止され、常温領域に面する内箱の内面での結露が防止される。
【００１１】
前記外箱、前記隔壁および前記内蓋は、発泡樹脂によって製作され、前記内箱の外壁は、柔軟な断熱シートを備えることが好ましい。これにより、外箱に十分な断熱性を付与することができる。また、外箱内の隔壁の断熱性を向上させて冷凍領域と冷蔵領域との間の熱の移動を減少させることができる。さらに、内蓋を介した熱の移動を減少させることができる。また、内箱に十分な断熱性を付与すると共に、内箱の不使用時に内箱を折り畳んでコンパクトに収納することが可能になる。
【００１２】
前記外壁は、内面に吸湿シートを備えることが好ましい。これにより、常温領域の空気中の水分が吸湿シートに吸収され、常温領域に面する内箱の外壁の内面での結露が防止される。
【００１３】
前記外壁は、前記断熱シートに積層された発泡樹脂製の断熱材を備えることが好ましい。これにより、内箱の外壁の断熱性を向上させ、冷蔵領域の空気によって冷却された外壁の内面の温度が、常温領域の空気中の水蒸気の露点温度以下になる可能性を低減し、常温領域に面する内箱の外壁の内面での結露を防止することができる。
【００１４】
前記内蓋は、前記蓄冷材を保持する凹部を有することが好ましい。これにより、内蓋に載置した蓄冷材が保冷容器の輸送時の振動や傾きによって所定の位置から移動することが防止され、冷凍領域および冷蔵領域を蓄冷材によって効果的に冷却することができる。また、移動した蓄冷材が衝突することによる外箱や内蓋の損傷を防止することができる。
【００１５】
前記外箱および前記隔壁は、前記冷凍領域に面する壁面に前記蓄冷材を保持する凹部を有することが好ましい。これにより、外箱および隔壁の壁面に配置した蓄冷材が保冷容器の輸送時の振動や傾きによって所定の位置から移動することが防止され、冷凍領域を蓄冷材によって効果的に冷却することができる。また、移動した蓄冷材が衝突することによる外箱、隔壁、内蓋、および冷凍領域内の内容物の損傷を防止することができる。
【００１６】
前記外箱および前記隔壁は、前記冷凍領域の上部に前記蓄冷材を支持する支持部を有することが好ましい。これにより、冷凍領域の上部の蓄冷材によって冷凍領域内の空気を効率よく冷却し、冷凍領域内の空気の温度を低温に維持することができる。
【００１７】
前記内箱の内部に収容される保護箱を備え、前記保護箱は、前記内箱よりも高い剛性を有することが好ましい。これにより、例えば、パン類や菓子類などの保護箱に収容された柔らかい内容物が、内箱の外側から作用する外力によって潰されたり変形したりすることが防止される。
【考案の効果】
【００１８】
以上の説明から理解できるように、本考案の保冷容器によれば、外箱と、該外箱の内部を冷凍領域と冷蔵領域に仕切る隔壁と、前記冷凍領域および前記冷蔵領域の上部を閉塞する内蓋と、該内蓋に載置されると共に前記冷凍領域に収容される複数の蓄冷材と、前記冷蔵領域内に収容されて内部に常温領域を画成する内箱とを備えることで、常温領域での結露を防止できる。
【図面の簡単な説明】
【００１９】
【図１】本考案の実施の形態に係る保冷箱の分解斜視図。
【図２】図１に示す保冷箱に収容される構成部材の斜視図であり、（ａ）は蓄冷材、（ｂ）は保護箱、（ｃ）は内箱。
【図３】図１に示す保冷箱に隔壁、蓄冷材および内箱を収容した状態を示す平面図。
【図４】図３に示す保冷箱に内蓋および蓄冷材を配置する過程を示す平面図。
【図５】図４に示す内蓋に蓄冷材を配置して外箱を密閉した状態におけるＶ−Ｖ線に沿う断面図。
【考案を実施するための形態】
【００２０】
以下、図面を参照して本考案の保冷箱の実施の形態を説明する。
【００２１】
図１は、本考案の実施の形態に係る保冷箱１００の構成要素の一部を示す分解斜視図である。図２は、図１に示す保冷箱１００のその他の構成要素の斜視図であり、（ａ）は蓄冷材４０、（ｂ）は保護箱６０、（ｃ）は内箱５０である。図３は、外箱１０の容器１１に隔壁２０、蓄冷材４０、内箱５０および保護箱６０を収容した状態を示す保冷箱１００の平面図である。
【００２２】
図４は、冷凍領域Ｚ１と冷蔵領域Ｚ２の上部に内蓋３０Ａ，３０Ｂを配置した状態を示す保冷箱１００の平面図である。図５は、図４に示す内蓋３０Ａ，３０Ｂに蓄冷材４０を載置し、容器１１の開口を外蓋１２によって閉鎖した状態を示すＶ−Ｖ線に沿う断面図である。なお、各図の縮尺は、適宜異ならせている。
【００２３】
保冷箱１００は、外箱１０と、該外箱１０の内部を冷凍領域Ｚ１と冷蔵領域Ｚ２に仕切る隔壁２０と、冷凍領域Ｚ１および冷蔵領域Ｚ２の上部を閉塞する内蓋３０Ａ，３０Ｂと、を備えている。外箱１０の内部には、内蓋３０Ａ，３０Ｂに載置されると共に冷凍領域Ｚ１に収容される複数の蓄冷材４０と、冷蔵領域Ｚ２内に収容されて内部に常温領域Ｚ３を画成する内箱５０と、が収容される。本実施形態において、内箱５０の内部には、さらに保護箱６０が収容される。
【００２４】
外箱１０は、上部が開放された直方体形状の容器１１と、容器１１の上部の開口を閉塞する長方形の板状の外蓋１２とを有している。容器１１は、外箱１０の短手方向である奥行方向に対向する一対の側壁１１Ａと、外箱１０の長手方向である幅方向に対向する一対の側壁１１Ｂと、底部の底壁１１Ｃとを有し、内側に食品等の内容物を収容する空間を有している。外蓋１２は、下面の周縁部の内側に、周縁部よりも容器１１の内方に突出する突起部１２Ａ（図５参照）を有している。外蓋１２は、突起部１２Ａが容器１１の開口の内側に嵌合し、下面の周縁部が容器１１の側壁１１Ａ，１１Ｂの上端面に当接して容器１１の開口を密閉する。
【００２５】
外箱１０の奥行方向に対向する一対の側壁１１Ａの内壁面と、幅方向に対向する一対の側壁１１Ｂの内壁面には、容器１１の内側に突出する突出部１４，１５が設けられている。外箱１０の奥行方向に対向する一対の側壁１１Ａは、冷凍領域Ｚ１に面する内壁面に幅方向に連続する突出部１４を有すると共に、冷蔵領域Ｚ２に面する内壁面に幅方向に間隔をあけて複数の突出部１５を有している。外箱１０の幅方向に対向する一対の側壁１１Ｂは、同様に、冷凍領域Ｚ１に面する内壁面に奥行方向に連続する突出部１４を有すると共に、冷蔵領域Ｚ２に面する内壁面に奥行方向に間隔をあけて複数の突出部１５を有している。突出部１４，１５は、それぞれ容器１１の側壁の上端よりも低い位置から容器１１の底壁１１Ｃにかけて、容器１１の高さ方向に延びるように連続的に形成されている。
【００２６】
外箱１０の奥行方向に対向する一対の側壁１１Ａの冷凍領域Ｚ１に面する内壁面と、外箱１０の幅方向に対向する一対の側壁１１Ｂのうち冷凍領域Ｚ１に面する側壁１１Ｂの内壁面には、それぞれ、蓄冷材４０を保持する凹部である保持部１３Ａ，１３Ｂが形成されている。同様に、容器１１の底壁１１Ｃの冷凍領域Ｚ１に面する内壁面に、蓄冷材４０を保持する凹部である保持部１３Ｃが形成されている。
【００２７】
各保持部１３Ａ，１３Ｂ，１３Ｃは、蓄冷材４０の形状および寸法と略等しい形状および寸法を有している。これにより、各保持部１３Ａ，１３Ｂ，１３Ｃに蓄冷材４０が嵌め込まれ、保冷箱１００の輸送時の振動等によって蓄冷材４０が各保持部１３Ａ，１３Ｂ，１３Ｃから容易に外れないようになっている。各保持部１３Ａ，１３Ｂ，１３Ｃは、蓄冷材４０の取出しを容易にする観点から、例えば、図３に示す底壁１１Ｃの保持部１３Ｃの長手方向両端に見られるような平面視で半円形の切り欠き部３３Ｃを有してもよい。
【００２８】
隔壁２０は、外箱１０の奥行方向の両端が、外箱１０の高さ方向の全高に亘って、冷凍領域Ｚ１の突出部１４と冷蔵領域Ｚ２の突出部１５との間の溝に差し込まれ、下端の凸部２２が容器１１の底壁１１Ｃの凹部１７に係合することで、外箱１０に固定されて冷凍領域Ｚ１と冷蔵領域Ｚ２とを区画する。隔壁２０の冷凍領域Ｚ１に面する壁面には、外箱１０の容器１１の保持部１３Ａ，１３Ｂ，１３Ｃと同様に、蓄冷材４０を保持する凹部である保持部２１が形成されている。
【００２９】
本実施形態では、冷凍領域Ｚ１の上部を閉塞する内蓋３０Ａと、冷蔵領域Ｚ２の上部を閉塞する内蓋３０Ｂとは、異なる構成を有している。冷凍領域Ｚ１の内蓋３０Ａは、外箱１０の奥行方向両側の端面が平坦であり、外箱１０の幅方向に沿う全幅に亘って側壁１１Ａに当接または対向する。冷凍領域Ｚ１の内蓋３０Ａは、外箱１０の幅方向両側の端面が中央部の凹状の取手部３２Ａを除いて平坦である。取手部３２Ａは、内蓋３０Ａの厚さ方向における深さが、内蓋３０Ａの全厚よりも浅くされている。
【００３０】
冷凍領域Ｚ１の内蓋３０Ａは、外箱１０の幅方向の一方の端面が外箱１０の奥行方向に沿う長手方向の全長に亘って外箱１０の冷凍領域Ｚ１に面する側壁１１Ｂに当接または対向し、他方の端面が冷蔵領域Ｚ２の内蓋３０Ｂの端面に当接または対向する。なお、内蓋３０Ａの容器１１への取り付けと容器１１からの取り出しを容易にする観点から、内蓋３０Ａの側面と容器１１の側壁１１Ａ，１１Ｂとの間に適宜の寸法公差を設定してもよい。
【００３１】
冷凍領域Ｚ１の内蓋３０Ａは、下面の周縁部が、外箱１０の奥行方向の両端と外箱１０の幅方向の一端で容器１１の冷凍領域Ｚ１に面する側壁１１Ａ，１１Ｂの突出部１４に当接し、外箱１０の幅方向の他端で隔壁２０の上端面に当接する。これにより、冷凍領域Ｚ１の内蓋３０Ａは、下面の周縁部が冷凍領域Ｚ１を囲む容器１１の側壁１１Ａ，１１Ｂの突出部１４と隔壁２０の上端面とに密着して、冷凍領域Ｚ１を密閉している。
【００３２】
冷凍領域Ｚ１の内蓋３０Ａは、上面の中央部に、容器１１の底壁１１Ｃの保持部１３Ｃと同様に、蓄冷材４０を保持する凹部である保持部３１Ａを有している。これにより、冷凍領域Ｚ１の内蓋３０Ａの上面の保持部３１Ａに蓄冷材４０が嵌め込まれ、保冷箱１００の輸送時の振動等によって蓄冷材４０が保持部３１Ａから容易に外れないようになっている。内蓋３０Ａの保持部３１Ａは、容器１１の底壁１１Ｃの保持部１３Ｃと同様に、蓄冷材４０の取出しを容易にする観点から、長手方向の両端に半円形の切り欠き部３３Ａを有している。
【００３３】
一方、冷蔵領域Ｚ２の内蓋３０Ｂは、外箱１０の奥行方向両側の端面に凸部３４と凹部３５とが形成されている。また、内蓋３０Ｂは、外箱１０の幅方向両側の端面の外箱１０の奥行方向で内蓋３０Ｂの長手方向の中央部に凹状の取手部３２Ｂが形成され、また、幅方向の一方の端面には、取手部３２Ｂを除いて凸部３４と凹部３５とが形成され、幅方向の他方の端面は、取手部３２Ｂを除いて平坦にされている。
【００３４】
冷蔵領域Ｚ２の内蓋３０Ｂの取手部３２Ｂは、内蓋３０Ｂの厚さ方向における深さが内蓋３０Ｂの全厚と等しくされて内蓋３０Ｂを厚さ方向に貫通し、内蓋３０Ｂの上面と下面に開口し、内蓋３０Ｂの上面側と下面側に連通している。
【００３５】
冷蔵領域Ｚ２の内蓋３０Ｂは、外箱１０の幅方向で１８０°反転させることで、凸部３４の下面が容器１１の側壁１１Ａ，１１Ｂの突出部１５の上面に当接する状態と、凸部３４が突出部１５の間の溝１６に係合する状態とを切り替えることができるように設計されている。冷蔵領域Ｚ２の内蓋３０Ｂは、前者の状態で突出部１５によって冷蔵領域Ｚ２の上部に支持され、後者の状態で突出部１５に沿って容器１１の高さ方向に移動させることができるようになっている。
【００３６】
なお、内蓋３０Ｂの容器１１への取り付けと容器１１からの取り出しを容易にする観点から、内蓋３０Ｂの凸部３４および凹部３５と容器１１の側壁１１Ａ，１１Ｂの突出部１５との間に適宜の寸法公差を設定して適宜の隙間を設けるようにしてもよい。
【００３７】
外箱１０、隔壁２０および内蓋３０Ａ，３０Ｂは、例えば、発泡樹脂すなわち発泡プラスチックによって製作されている。発泡樹脂としては、例えば、ポリスチレン系樹脂、ポリオレフィン系樹脂、ポリエステル系樹脂等を用いることができる。
【００３８】
蓄冷材４０は、平面視で長方形板状の直方体形状を有し、例えば、ポリエチレン系樹脂製の容器の中に、水、ゲル剤、保存料、着色料等を混合した保冷剤を封入することによって構成されている。蓄冷材４０は、外箱１０の容器１１の冷凍領域Ｚ１に面する側壁１１Ａ，１１Ｂに形成された保持部１３Ａ，１３Ｂと、隔壁２０の冷凍領域Ｚ１に面する壁面に形成された保持部２１と、容器１１の冷凍領域Ｚ１に面する底壁１１Ｃに設けられた保持部１３Ｃと、内蓋３０Ａ，３０Ｂの上面に設けられた保持部３１Ａ，３１Ｂに保持される。
【００３９】
本実施形態では、外箱１０の容器１１の側壁１１Ｂと隔壁２０の保持部１３Ｂ，２１の深さが蓄冷材４０の厚さよりも浅くされ、蓄冷材４０の保持部２１，１３Ｂから突出した部分の上端に、別の蓄冷材４０を掛け渡すことができるようになっている。すなわち、外箱１０の側壁１１Ｂおよび隔壁２０は、冷凍領域Ｚ１の上部に蓄冷材４０を支持するための支持部Ｓとして、保持部１３Ｂ，２１に別の蓄冷材４０を保持している。
【００４０】
なお、冷凍領域Ｚ１の上部に蓄冷材４０を支持するための支持部Ｓとして、側壁１１Ｂおよび隔壁２０の壁面に段差部や突起部を設けてもよい。また、冷凍領域Ｚ１の上部に支持された蓄冷材４０は、例えば、外箱１０の容器１１の側壁１１Ｂと隔壁２０に凹状の係合部を設けることで、側壁１１Ｂと隔壁２０との間に保持してもよい。
【００４１】
このように、外箱１０の容器１１の側壁１１Ａ，１１Ｂおよび底壁１１Ｃの冷凍領域Ｚ１に面する壁面と、隔壁２０の冷凍領域Ｚ１に面する壁面に蓄冷材４０を保持する保持部１３Ａ，１３Ｂ，１３Ｃ，２１が設けられ、さらに冷凍領域Ｚ１の上部に蓄冷材４０が掛け渡すことができるようになっている。これにより、冷凍領域Ｚ１は、外箱１０の奥行方向の前後、幅方向の左右、および高さ方向の上下の６方向に合計６個の蓄冷材４０を配置して、冷凍領域Ｚ１に蓄冷材４０によって包囲された空間を形成できるようになっている。
【００４２】
内箱５０は、上部が開閉自在に設けられた概ね直方体形状の容器であり、外箱１０の冷蔵領域Ｚ２内に収容され、内部に常温領域Ｚ３を画成する。内箱５０は、例えば、長手方向である幅方向が外箱１０の奥行方向に平行になり、短手方向である奥行方向が外箱１０の幅方向に平行になるように、容器１１内の冷蔵領域Ｚ２に収容される。
【００４３】
内箱５０は、図３に示すように、長手方向の外寸ｄが外箱１０の容器１１の奥行方向の内寸Ｄ一杯の寸法を有し、短手方向の外寸ｗが外箱１０の容器１１の冷蔵領域Ｚ２の内寸Ｗ以下の寸法を有している。隔壁２０が図示の位置に固定される場合には、内箱５０の短手方向の外寸ｗは外箱１０の容器１１の冷蔵領域Ｚ２の内寸Ｗよりも小さくなる。
【００４４】
内箱５０は、隔壁２０と隣接させて配置することも可能であるが、隔壁２０との間に間隔をあけて配置することが好ましい。これにより、冷凍領域Ｚ１と常温領域Ｚ３との間に冷蔵領域Ｚ２が設けられ、冷凍領域Ｚ１は隔壁２０を介して冷蔵領域Ｚ２と隣接し、常温領域Ｚ３は内箱５０の外壁５１を介して冷蔵領域Ｚ２と隣接する。また、隔壁２０と内箱５０の外壁５１との間に冷蔵領域Ｚ２の空気層が形成される。
【００４５】
図５に示すように、内箱５０の外壁５１は、例えば、柔軟な断熱シート５１Ａによって構成されている。内箱５０に用いる断熱シート５１Ａとしては、例えば、アルミニウム素材のシートを用いることができる。より具体的には、アルミニウム素材と断熱材を縫製した断熱縫製カバーからなる内箱５０を用いることができる。このような断熱縫製カバーとしては、例えば、積水化成品工業株式会社製の商品名「フレッシュキーパー（登録商標）」が好適である。
【００４６】
内箱５０の外壁５１は、断熱シート５１Ａに積層された発泡樹脂製すなわち発泡プラスチック製の断熱材５１Ｂを備えている。断熱材５１Ｂに用いる発泡樹脂としては、外壁５１の柔軟性を確保する観点から、例えば、ポリウレタン系樹脂やポリオレフィン系樹脂等の発泡樹脂が好適である。本実施形態では、外壁５１の外側と内側の断熱シート５１Ａの間に断熱材５１Ｂが配置されている。
【００４７】
内箱５０の外壁５１は、内面に吸湿シート５２を備えている。本実施形態において、吸湿シート５２は、内箱５０の外壁５１の常温領域Ｚ３に面する壁面全体を覆うように、内箱５０の外壁５１の内側に貼り付けられている。吸湿シート５２としては、例えば、炭シートを用いることができる。ここで、炭シートとは、例えば、木炭、竹炭等の炭の微粉末を含む不織布、発泡樹脂、紙、樹脂フィルム等のシートである。なお、吸湿シート５２は、炭シートに限定されるものではなく、吸湿作用を奏するものであればよく、例えば炭を含まない不織布や発泡樹脂のシートなども使用することができる。
【００４８】
保護箱６０は、概ね立方体形状の容器であり、前面と背面が開放されて筒状に形成されている。保護箱６０は、左右の側面、上面、下面に作用する荷重に対する変形量が、同じ荷重に対する内箱５０の変形量よりも小さくなるように、前記の荷重に対する強度設計がされて、内箱５０よりも高い剛性を有している。保護箱６０の材料は、軽量で耐久性および耐候性を有する材料であれば特に限定されないが、例えば、プラスチック段ボールによって製作することができる。また、内箱５０よりも剛性が高い材料に限定されず、例えば緩衝性を有するエアキャップやポリオレフィン系樹脂の発泡樹脂などによって製作してもよい。
【００４９】
以下、本実施形態の保冷箱１００の作用について説明する。本実施形態の保冷箱１００を使用する際には、まず、外箱１０の容器１１の冷凍領域Ｚ１の突出部１４と冷蔵領域Ｚ２の突出部１５との間の溝１６に、隔壁２０を容器１１の高さ方向に差し込み、隔壁２０を容器１１に取り付ける。これにより、図３に示すように、容器１１の内側が、冷凍領域Ｚ１と冷蔵領域Ｚ２とに区画される。
【００５０】
次に、冷凍領域Ｚ１に面する容器１１の側壁１１Ａ，１１Ｂ、底壁１１Ｃおよび隔壁２０の各々の保持部１３Ａ，１３Ｂ，１３Ｃ，２１に蓄冷材４０を嵌め込んで、蓄冷材４０を各々の保持部１３Ａ，１３Ｂ，１３Ｃ，２１に保持する。また、内箱５０を外箱１０の容器１１内の冷蔵領域Ｚ２に収容して、隔壁２０と間隔を開けて配置する。
【００５１】
次に、例えばパン類や菓子類など、潰れたり割れたりしやすく常温保存に適した常温保存品を、保護箱６０の内部に収容した状態で、上部を解放した内箱５０の内部の常温領域Ｚ３に収容する。また、内箱５０と隔壁２０との間の冷蔵領域Ｚ２に、冷蔵保存に適した食品や飲料品等の要冷蔵品を収容する。
【００５２】
次に、蓄冷材４０によって囲まれた冷凍領域Ｚ１に、例えば冷凍食品等の冷凍保存に適した要冷凍品を収容し、支持部Ｓとして機能する蓄冷材４０の上端に、さらに別の蓄冷材４０を掛け渡す。これにより、冷凍領域Ｚ１は、外箱１０の奥行方向の前後と、幅方向の左右と、高さ方向の上下に蓄冷材４０が配置された状態になる。その後、冷凍領域Ｚ１と冷蔵領域Ｚ２の上部に内蓋３０Ａ，３０Ｂを配置して各領域を閉鎖する。
【００５３】
図４に示すように、冷凍領域Ｚ１と冷蔵領域Ｚ２の上部に内蓋３０Ａ，３０Ｂを配置して各領域を閉鎖した後、各内蓋３０Ａ，３０Ｂの上面の保持部３１Ａ，３１Ｂに蓄冷材４０を嵌め込んで、内蓋３０Ａ，３０Ｂに蓄冷材４０を載置する。そして、図５に示すように、外箱１０の外蓋１２の下面の突起部１２Ａを容器１１の開口の内側に嵌合させ、外蓋１２の下面の周縁部を容器１１の側壁１１Ａ，１１Ｂの上端面に密着させて外箱１０を密閉する。その後、保冷箱１００は、要冷凍品、要冷蔵品、常温保存品等の内容物を、それぞれ冷凍領域Ｚ１、冷蔵領域Ｚ２、常温領域Ｚ３に保存に適した温度で収容した状態で、輸送および保管される。
【００５４】
保冷箱１００の使用時における各領域の温度は特に限定されないが、例えば、冷凍領域Ｚ１の空気の温度は、蓄冷材４０によって０℃未満になる。また、冷蔵領域Ｚ２の空気の温度は、例えば、０℃よりも高くかつ１５℃以下になる。また、常温領域Ｚ３の空気の温度は、例えば、冷蔵領域Ｚ２の空気の温度よりも高くかつ２０℃以下になる。
【００５５】
本実施形態の保冷箱１００は、前記したように、外箱１０と、該外箱１０の内部を冷凍領域Ｚ１と冷蔵領域Ｚ２に仕切る隔壁２０と、冷凍領域Ｚ１および冷蔵領域Ｚ２の上部を閉塞する内蓋３０Ａ，３０Ｂと、該内蓋３０Ａ，３０Ｂに載置されると共に冷凍領域Ｚ１に収容される複数の蓄冷材４０とを備えている。そして、冷蔵領域Ｚ２内に収容されて内部に常温領域Ｚ３を画成する内箱５０を備えている。
【００５６】
そのため、外箱１０内の冷蔵領域Ｚ２は、蓄冷材４０が収容された冷凍領域Ｚ１から隔壁２０および内蓋３０Ａ，３０Ｂによって隔離される。さらに、常温領域Ｚ３は、内箱５０によって冷蔵領域Ｚ２から隔離される。すなわち、常温領域Ｚ３は、隔壁２０および内蓋３０Ａ，３０Ｂと、内箱５０によって、冷凍領域Ｚ１から二重に隔離されている。
【００５７】
これにより、内箱５０の外壁５１が、冷蔵領域Ｚ２の空気の温度よりも低い冷凍領域Ｚ１の冷気によって冷却されることが防止される。また、常温領域Ｚ３の空気が隔壁２０によって直接的に冷却されることがない。そのため、内箱５０の外壁５１の内面の温度が常温領域Ｚ３の空気中の水蒸気の露点温度以下に低下するのを抑制できる。したがって、本実施形態の保冷箱１００によれば、常温領域Ｚ３での結露を効果的に防止できる。
【００５８】
また、内箱５０は、隔壁２０との間に間隔をあけて配置されている。これにより、冷凍領域Ｚ１に面し、蓄冷材４０を保持することで低温になった隔壁２０が、内箱５０に接触することが回避される。また、内側が常温領域Ｚ３とされた内箱５０の外側が、冷凍領域Ｚ１の空気と比較して高温で、常温領域Ｚ３の空気との温度差が少ない冷蔵領域Ｚ２の空気に包囲される。これにより、内箱５０が冷凍領域Ｚ１内の冷気および冷凍領域Ｚ１に面する隔壁２０によって冷却されることが防止され、内箱５０の外壁５１の内面の温度が常温領域Ｚ３の空気中の水蒸気の露点温度以下に低下するのを抑制できる。したがって、常温領域Ｚ３に面する内箱５０の内面への結露をより効果的に防止できる。
【００５９】
また、外箱１０、隔壁２０および内蓋３０Ａ，３０Ｂは、発泡樹脂によって製作されている。これにより、外箱１０に断熱性を付与し、外箱１０の外部から内部への熱の侵入を減少させ、保冷箱１００の保冷性能を向上させることができる。また、外箱１０内の隔壁２０および内蓋３０Ａ，３０Ｂの断熱性を向上させ、冷凍領域Ｚ１と冷蔵領域Ｚ２との間の熱の移動を減少させると共に、内蓋３０Ａ，３０Ｂを介した熱の移動を減少させることができる。
【００６０】
また、内箱５０の外壁５１は、柔軟な断熱シート５１Ａによって構成されている。これにより、内箱５０に必要な断熱性を付与すると共に、内箱５０の不使用時に内箱５０を折り畳んでコンパクトに収納することが可能になる。特に、アルミ素材の断熱シート５１Ａを用いることで、光の反射効果と熱の反射効果によって優れた断熱性を得られるだけでなく、耐久性と耐候性に優れた軽量な内箱５０を製作することができる。
【００６１】
また、内箱５０の外壁５１は、内面に吸湿シート５２を備えている。これにより、常温領域Ｚ３の空気中の水分が吸湿シート５２によって吸収され、常温領域Ｚ３に面する内箱５０の外壁５１の内面への結露が防止される。また、吸湿シート５２の調質効果によって、例えばパン類や菓子類等の乾燥しやすい食品等の乾燥を防止することができる。また、吸湿シート５２として炭シートを用いることで、吸湿効果および調湿効果に加えて、高い消臭効果を得ることができる。
【００６２】
また、内箱５０の外壁５１は、断熱シート５１Ａに積層された発泡樹脂製の断熱材５１Ｂを備えている。これにより、内箱５０の外壁５１の断熱性を向上させ、冷蔵領域Ｚ２の空気によって冷却された外壁５１の内面の温度が、常温領域Ｚ３の空気中の水蒸気の露点温度以下になる可能性を低減し、常温領域Ｚ３に面する内箱５０の外壁５１の内面への結露を防止することができる。
【００６３】
また、内蓋３０Ａ，３０Ｂは、蓄冷材４０を保持する保持部３１Ａ，３１Ｂを有している。これにより、内蓋３０Ａ，３０Ｂに載置した蓄冷材４０が保冷箱１００の輸送時の振動や傾きによって所定の位置から移動することが防止され、冷凍領域Ｚ１および冷蔵領域Ｚ２を蓄冷材４０によって効果的に冷却し、内蓋３０Ａ，３０Ｂを介して冷凍領域Ｚ１および冷蔵領域Ｚ２に伝わる熱を効果的に遮断することができる。また、移動した蓄冷材４０が衝突することによる外箱１０や内蓋３０Ａ，３０Ｂの損傷を防止することができる。
【００６４】
また、冷凍領域Ｚ１の内蓋３０Ａの取手部３２Ａは、内蓋３０Ａの全厚よりも浅くされている。したがって、冷凍領域Ｚ１内の冷気が取手部３２Ａを介して冷凍領域Ｚ１外に漏出することが防止される。一方、冷蔵領域Ｚ２の内蓋３０Ｂの取手部３２Ｂは、内蓋３０Ｂを厚さ方向に貫通している。したがって、取手部３２Ｂを介して内蓋３０Ｂの上面の蓄冷材４０によって冷却された冷気を冷蔵領域Ｚ２内に下降させ、冷蔵領域Ｚ２内の空気の温度を冷蔵に適した温度に維持することが可能になる。なお、本実施形態では、内蓋３０Ａの取手部３２Ａは、内蓋３０Ａの全厚よりも浅くされており、内蓋３０Ｂの取手部３２Ｂは、内蓋３０Ｂの厚さ方向に貫通している場合について説明したが、必ずしもかかる構成に限定されるものではなく、どちらも貫通していても、貫通していなくてもよい。
【００６５】
また、冷蔵領域Ｚ２の内蓋３０Ｂの凸部３４と外箱１０の側壁１１Ａ、１１Ｂの突出部１５との間に隙間を形成することで、当該隙間から内蓋３０Ｂの上面の蓄冷材４０によって冷却された冷気を容器１１の側壁１１Ａ，１１Ｂに沿って冷蔵領域Ｚ２に下降させ、冷蔵領域Ｚ２の内容物を均一に冷却することが可能になる。
【００６６】
また、外箱１０の容器１１および隔壁２０が、冷凍領域Ｚ１に面する壁面に蓄冷材４０を保持する保持部１３Ａ，１３Ｂ，１３Ｃ，２１を有している。これにより、外箱１０の容器１１および隔壁２０の壁面に配置した蓄冷材４０が保冷箱１００の輸送時の振動や傾きによって所定の位置から移動することが防止され、冷凍領域Ｚ１を蓄冷材４０によって効果的に冷却することができる。また、移動した蓄冷材４０が衝突することによる外箱１０、隔壁２０、内蓋３０Ａ，３０Ｂ、および冷凍領域Ｚ１の内容物の損傷を防止することができる。
【００６７】
また、本実施形態では、外箱１０および隔壁２０の保持部１３Ｂ，２１に保持した蓄冷材４０を、冷凍領域Ｚ１の上部に蓄冷材４０を支持する支持部Ｓとして利用している。これにより、外箱１０の側壁１１Ｂおよび隔壁２０に蓄冷材４０を支持する段差等を設けることなく、冷凍領域Ｚ１の上部に配置した蓄冷材４０によって冷凍領域Ｚ１内の空気を効率よく冷却し、冷凍領域Ｚ１の空気の温度を低温に維持することが可能になる。なお、上記した実施形態では、保持部１３Ｂ、２１の深さを蓄冷材４０の厚さよりも浅くする構成について説明したが、これに限定されるものではなく、蓄冷材４０の厚さよりも浅くても、同じでも、深くてもよい。
【００６８】
また、本実施形態の保冷箱１００は、内箱５０の内部に収容されて内箱５０よりも高い剛性を有する保護箱６０を備えている。これにより、例えばパン類や菓子類などの保護箱６０に収容された柔らかい内容物が、内箱５０の外側から作用する外力によって潰されたり変形したりすることが防止される。なお、保護箱６０の内面に吸湿シート５２を配置することで、保護箱６０内の内容物への水分の付着や乾燥をより効果的に防止するようにしてもよい。
【００６９】
また、内箱５０の長手方向の外寸ｄが外箱１０の容器１１の奥行方向の内寸Ｄ一杯の寸法を有しているので、内箱５０が外箱１０の内部で奥行方向に移動することが防止される。さらに、内箱５０の短手方向の外寸ｗが外箱１０の容器１１の冷蔵領域Ｚ２の内寸Ｗ以下の寸法を有している。そのため、内箱５０を冷蔵領域Ｚ２一杯に配置して常温領域Ｚ３を拡大するか、または、冷蔵領域Ｚ２の一部を内箱５０によって常温領域Ｚ３にすることができる。
【００７０】
以上説明したように、本実施形態の保冷箱１００によれば、外箱１０と、該外箱１０の内部を冷凍領域Ｚ１と冷蔵領域Ｚ２に仕切る隔壁２０と、該冷凍領域Ｚ１および冷蔵領域Ｚ２の上部を閉塞する内蓋３０Ａと、該内蓋３０Ａに載置されると共に冷凍領域Ｚ１に収容される複数の蓄冷材４０と、冷蔵領域Ｚ２内に収容されて内部に常温領域Ｚ３を画成する内箱５０とを備えることで、常温領域Ｚ３での結露を防止できる。
【００７１】
以上、図面を用いて本考案の実施の形態を詳述してきたが、具体的な構成はこの実施形態に限定されるものではなく、本考案の要旨を逸脱しない範囲における設計変更等があっても、それらは本考案に含まれるものである。例えば、前述の実施の形態では、隔壁が外箱と別の部材であり、外箱から取り外し可能である構成について説明したが、隔壁は外箱と一体に設けてもよい。また、隔壁が取り外し可能である場合には、隔壁の位置を変更することで、冷凍領域の容積と冷蔵領域の容積を変更してもよい。また、蓄冷材を保持する保持部は、凹部に限定されず、例えば凸部によって蓄冷材の両端を保持してもよい。また、保冷箱は、保護箱を有していなくてもよい。
【符号の説明】
【００７２】
１０…外箱、１１…容器（外箱）、１２…外蓋（外箱）、１３Ａ，１３Ｂ，１３Ｃ…保持部、２０…隔壁、２１…保持部、３０Ａ，３０Ｂ…内蓋、３１Ａ，３１Ｂ…保持部、４０…蓄冷材、５０…内箱、５１…外壁、５１Ａ…断熱シート、５１Ｂ…断熱材、５２…吸湿シート、６０…保護箱、１００…保冷箱、Ｓ…支持部、Ｚ１…冷凍領域、Ｚ２…冷蔵領域、Ｚ３…常温領域
【図１】
0003211437.tif 000003
【図２】
0003211437.tif 000004
【図３】
0003211437.tif 000005
【図４】
0003211437.tif 000006
【図５】
0003211437.tif 000007